(57)【特許請求の範囲】
【請求項１】
位置が移動自在であり、用紙に加湿を行う第１加湿ローラーと、
前記第１加湿ローラーと対向して配置され、位置が移動自在であり、前記用紙に加湿を行う第２加湿ローラーと、
前記第１加湿ローラーの位置と、前記第２加湿ローラーの位置とを制御する位置制御部と、
を備え、
前記位置制御部は、
デフォルト設定では、前記第１加湿ローラーと前記第２加湿ローラーとの間を圧接状態にし、
前記用紙の種類に薄紙が設定されると、前記第１加湿ローラーと前記第２加湿ローラーとの間を離間させ、
前記用紙の先端が前記第１加湿ローラーと前記第２加湿ローラーとの間を通過すると、前記用紙が前記薄紙よりも厚い場合に比べて前記用紙に与える圧力を弱めて前記第１加湿ローラーと前記第２加湿ローラーとの間を圧接させる、
用紙加湿装置。
【請求項２】
前記位置制御部は、
前記用紙に与える圧力を弱めさせる際、前記第１加湿ローラーと、前記第２加湿ローラーとの間が圧接状態となることにより形成されるニップのニップ量を第２ニップ量から第１ニップ量に狭くさせ、
前記第１ニップ量は、
前記用紙の種類に薄紙が設定されている場合に適用されるものであり、
前記第１加湿ローラーの軸と、前記第２加湿ローラーの軸との間の間隔が第１距離に設定され、
前記第２ニップ量は、
前記用紙の種類に薄紙が設定されていない場合に適用されるものであり、
前記第１加湿ローラーの軸と、前記第２加湿ローラーの軸との間の間隔が第２距離に設定され、
前記第１距離は、
前記第２距離よりも長い、
請求項１に記載の用紙加湿装置。
【請求項３】
前記用紙の搬送を制御する搬送制御部
をさらに備え、
前記搬送制御部は、
前記第１加湿ローラーと、前記第２加湿ローラーとの間が離間されている場合、前記用紙の先端を通過させ、
前記位置制御部は、
前記搬送制御部により前記用紙の先端が前記第１加湿ローラーと前記第２加湿ローラーとの間を通過した場合、前記第１加湿ローラーと前記第２加湿ローラーとの間を圧接させる、
請求項１又は２に記載の用紙加湿装置。
【請求項４】
前記第１加湿ローラーは、
前記第２加湿ローラーの上方に配置され、
前記第１加湿ローラーの上方に対向して配置され、前記第１加湿ローラーに給水し、位置が移動自在である第１給水ローラーと、
前記第２加湿ローラーの下方に対向して配置され、前記第２加湿ローラーに給水し、位置が移動自在である第２給水ローラーと、
をさらに備え、
前記位置制御部は、
デフォルト設定では、前記第１加湿ローラーと前記第１給水ローラーとの間と、前記第２加湿ローラーと前記第２給水ローラーとの間と、を圧接状態にし、
前記用紙の種類に薄紙が設定されると、前記第１加湿ローラーと前記第１給水ローラーとの間と、前記第２加湿ローラーと前記第２給水ローラーとの間と、を離間させ、
前記第１加湿ローラーと前記第２加湿ローラーとの間を圧接させると、前記第１加湿ローラーと前記第１給水ローラーとの間と、前記第２加湿ローラーと前記第２給水ローラーとの間と、を圧接させる、
請求項３に記載の用紙加湿装置。
【請求項５】
第１の水が貯留される第１貯留部と、
前記第１給水ローラーと対向して配置され、前記第１貯留部から前記第１給水ローラーに前記第１の水を供給し、位置が移動自在である第１汲上ローラーと、
第２の水が貯留される第２貯留部と、
前記第２給水ローラーと対向して配置され、前記第２貯留部から前記第２給水ローラーに前記第２の水を供給し、位置が移動自在である第２汲上ローラーと、
をさらに備え、
前記位置制御部は、
デフォルト設定では、前記第１汲上ローラーと前記第１給水ローラーとの間と、前記第２汲上ローラーと前記第２給水ローラーとの間と、を圧接状態にし、
前記用紙の種類に薄紙が設定されると、前記第１汲上ローラーと前記第１給水ローラーとの間と、前記第２汲上ローラーと前記第２給水ローラーとの間と、を離間させ、
前記第１加湿ローラーと前記第２加湿ローラーとの間を圧接させると、前記第１汲上ローラーと前記第１給水ローラーとの間と、前記第２汲上ローラーと前記第２給水ローラーとの間と、を圧接させる、
請求項４に記載の用紙加湿装置。
【請求項６】
前記位置制御部は、
前記第１加湿ローラーと、前記第２加湿ローラーとの間を圧接させたことを契機として、前記第１汲上ローラーと、前記第１給水ローラーとの間と、前記第２汲上ローラーと、前記第２給水ローラーとの間と、のそれぞれを圧接させた場合、前記第１加湿ローラーと、前記第１給水ローラーとの間と、前記第２加湿ローラーと、前記第２給水ローラーとの間と、のそれぞれを圧接させる、
請求項５に記載の用紙加湿装置。
【請求項７】
請求項１〜６の何れか一項に記載の用紙加湿装置
を含む、
画像形成システム。
【発明の詳細な説明】
【技術分野】
【０００１】
本発明は、用紙加湿装置及び画像形成システムに関する。
【背景技術】
【０００２】
従来、電子写真方式の画像形成装置により画像が用紙に印刷された後、用紙に各種処理を施す用紙処理装置が知られている。用紙処理装置は、穿孔、綴じ、折り等のような各種処理を施すものである。
【０００３】
また、用紙処理装置のうち、画像が用紙に印刷された後、用紙に水を付与する加湿機能により、用紙の湾曲を矯正させるものが提案されている（例えば、特許文献１参照）。
【先行技術文献】
【特許文献】
【０００４】
【特許文献１】特開２０１５−１５８６６４号公報
【発明の概要】
【発明が解決しようとする課題】
【０００５】
しかし、特許文献１に記載の従来技術は、用紙を加湿ローラー対に進入させ、給水ローラー対を加湿ローラー対に圧接させ、加湿ローラー対により形成されるニップを介して用紙を加湿するため、用紙の種類によっては、加湿時にしわが発生する恐れがある。特に、用紙の種類が薄紙である場合、加湿ローラー対により形成されるニップに用紙を通過させると、用紙に多くの水分を含ませることになるため、用紙にしわを発生させやすい。したがって、用紙の種類が薄紙である場合、加湿時の用紙のしわの発生を防ぐことができない恐れがある。
【０００６】
本発明は、従来の課題を解決するためになされたものであり、その目的とするところは、用紙の種類が薄紙であっても、加湿時の用紙のしわの発生を防ぐことができる用紙加湿装置及び画像形成システムを提供することにある。
【課題を解決するための手段】
【０００７】
上記目的を達成するため、本発明に係る用紙加湿装置は、位置が移動自在であり、用紙に加湿を行う第１加湿ローラーと、前記第１加湿ローラーと対向して配置され、位置が移動自在であり、前記用紙に加湿を行う第２加湿ローラーと、前記第１加湿ローラーの位置と、前記第２加湿ローラーの位置とを制御する位置制御部と、を備え、前記位置制御部は、デフォルト設定では、前記第１加湿ローラーと前記第２加湿ローラーとの間を圧接状態にし、前記用紙の種類に薄紙が設定されると、前記第１加湿ローラーと前記第２加湿ローラーとの間を離間させ、前記用紙の先端が前記第１加湿ローラーと前記第２加湿ローラーとの間を通過すると、前記用紙が前記薄紙よりも厚い場合に比べて前記用紙に与える圧力を弱めて前記第１加湿ローラーと前記第２加湿ローラーとの間を圧接させる、ものである。
【０００８】
この用紙加湿装置によれば、第１加湿ローラーと、第２加湿ローラーとの間が、離間されてから圧接される際、用紙に与えられる圧力が弱められることにより、用紙が圧接されるときの加湿ローラーの衝撃が緩和されるため、用紙の種類が薄紙であっても、加湿時の用紙のしわの発生を防ぐことができる。
【０００９】
また、本発明に係る用紙加湿装置において、前記位置制御部は、前記用紙に与える圧力を弱めさせる際、前記第１加湿ローラーと、前記第２加湿ローラーとの間が圧接状態となることにより形成されるニップのニップ量を第２ニップ量から第１ニップ量に狭くさせ、前記第１ニップ量は、前記用紙の種類に薄紙が設定されている場合に適用されるものであり、前記第１加湿ローラーの軸と、前記第２加湿ローラーの軸との間の間隔が第１距離に設定され、前記第２ニップ量は、前記用紙の種類に薄紙が設定されていない場合に適用されるものであり、前記第１加湿ローラーの軸と、前記第２加湿ローラーの軸との間の間隔が第２距離に設定され、前記第１距離は、前記第２距離よりも長い、ことが好ましい。
【００１０】
この用紙加湿装置によれば、用紙に与える圧力を弱めさせる際、ニップ量を狭くさせることにより、用紙に付与される水分量を減らすことができるため、加湿時の用紙のしわの発生を防ぐことができる。
【００１１】
また、本発明に係る用紙加湿装置において、前記用紙の搬送を制御する搬送制御部をさらに備え、前記搬送制御部は、前記第１加湿ローラーと、前記第２加湿ローラーとの間が離間されている場合、前記用紙の先端を通過させ、前記位置制御部は、前記搬送制御部により前記用紙の先端が前記第１加湿ローラーと前記第２加湿ローラーとの間を通過した場合、前記第１加湿ローラーと前記第２加湿ローラーとの間を圧接させる、ことが好ましい。
【００１２】
この用紙加湿装置によれば、第１加湿ローラーと、第２加湿ローラーとの間に用紙の先端を通過させてから、第１加湿ローラーと、第２加湿ローラーとが圧接されることにより、用紙の先端が第１加湿ローラー又は第２加湿ローラーに張り付くことを回避できるため、用紙の先端が第１加湿ローラー又は第２加湿ローラーに巻き付くことを防止することができる。
【００１３】
また、本発明に係る用紙加湿装置において、前記第１加湿ローラーは、前記第２加湿ローラーの上方に配置され、前記第１加湿ローラーの上方に対向して配置され、前記第１加湿ローラーに給水し、位置が移動自在である第１給水ローラーと、前記第２加湿ローラーの下方に対向して配置され、前記第２加湿ローラーに給水し、位置が移動自在である第２給水ローラーと、をさらに備え、前記位置制御部は、デフォルト設定では、前記第１加湿ローラーと前記第１給水ローラーとの間と、前記第２加湿ローラーと前記第２給水ローラーとの間と、を圧接状態にし、前記用紙の種類に薄紙が設定されると、前記第１加湿ローラーと前記第１給水ローラーとの間と、前記第２加湿ローラーと前記第２給水ローラーとの間と、を離間させ、前記第１加湿ローラーと前記第２加湿ローラーとの間を圧接させると、前記第１加湿ローラーと前記第１給水ローラーとの間と、前記第２加湿ローラーと前記第２給水ローラーとの間と、を圧接させる、ことが好ましい。
【００１４】
この用紙加湿装置によれば、用紙の種類に薄紙が設定されている場合、第１加湿ローラーと、第１給水ローラーとの間と、第２加湿ローラーと、第２給水ローラーとの間と、のそれぞれが離間されることにより、第１給水ローラーと第１加湿ローラーとが一体的に連携して駆動するものでなくなると共に、第２給水ローラーと第２加湿ローラーとが一体的に連携して駆動するものでなくなるため、第１加湿ローラーと、第２加湿ローラーとの間に形成されるニップ量の調整を容易にすることができる。
【００１５】
また、本発明に係る用紙加湿装置において、第１の水が貯留される第１貯留部と、前記第１給水ローラーと対向して配置され、前記第１貯留部から前記第１給水ローラーに前記第１の水を供給し、位置が移動自在である第１汲上ローラーと、第２の水が貯留される第２貯留部と、前記第２給水ローラーと対向して配置され、前記第２貯留部から前記第２給水ローラーに前記第２の水を供給し、位置が移動自在である第２汲上ローラーと、
をさらに備え、前記位置制御部は、デフォルト設定では、前記第１汲上ローラーと前記第１給水ローラーとの間と、前記第２汲上ローラーと前記第２給水ローラーとの間と、を圧接状態にし、前記用紙の種類に薄紙が設定されると、前記第１汲上ローラーと前記第１給水ローラーとの間と、前記第２汲上ローラーと前記第２給水ローラーとの間と、を離間させ、前記第１加湿ローラーと前記第２加湿ローラーとの間を圧接させると、前記第１汲上ローラーと前記第１給水ローラーとの間と、前記第２汲上ローラーと前記第２給水ローラーとの間と、を圧接させる、ことが好ましい。
【００１６】
この用紙加湿装置によれば、用紙の種類に薄紙が設定されている場合、第１汲上ローラーと、第１給水ローラーとの間と、第２汲上ローラーと、第２給水ローラーとの間と、のそれぞれが離間されることにより、給水経路が絶たれるため、第１給水ローラー及び第２給水ローラーによる水の供給を停止させることができる。
【００１７】
また、本発明に係る用紙加湿装置において、前記位置制御部は、前記第１加湿ローラーと、前記第２加湿ローラーとの間を圧接させたことを契機として、前記第１汲上ローラーと、前記第１給水ローラーとの間と、前記第２汲上ローラーと、前記第２給水ローラーとの間と、のそれぞれを圧接させた場合、前記第１加湿ローラーと、前記第１給水ローラーとの間と、前記第２加湿ローラーと、前記第２給水ローラーとの間と、のそれぞれを圧接させる、ことが好ましい。
【００１８】
この用紙加湿装置によれば、第１加湿ローラーと、第２加湿ローラーとの間が圧接されたことを契機として、第１汲上ローラーと、第１給水ローラーとの間と、第２汲上ローラーと、第２給水ローラーとの間と、のそれぞれが圧接された場合、第１加湿ローラーと、第１給水ローラーとの間と、第２加湿ローラーと、第２給水ローラーとの間と、のそれぞれが圧接されることにより、用紙が受ける衝撃は段階的なものとなるため、用紙が一度に受ける衝撃を緩和させることができる。
【００１９】
また、上記目的を達成するため、本発明に係る画像形成システムは、上記に記載の用紙加湿装置を含む。
【００２０】
この画像形成システムによれば、用紙加湿装置の場合と同様に、加湿時の用紙のしわの発生を防ぐことができる。
【発明の効果】
【００２１】
本発明によれば、第１加湿ローラーと、第２加湿ローラーとの間が、離間されてから圧接される際、用紙に与えられる圧力が弱められることにより、用紙が圧接されるときの加湿ローラーの衝撃が緩和されるため、用紙の種類が薄紙であっても、加湿時の用紙のしわの発生を防ぐことができる。
【図面の簡単な説明】
【００２２】
【図１】本発明の実施形態における画像形成システム１の全体構成の一例を示す図である。
【図２】本発明の実施形態における画像形成装置３の構成例を示す図である。
【図３】本発明の実施形態における第１用紙処理装置５の構成例を示す図である。
【図４】本発明の実施形態における加湿部５３の概略構成例を示す図である。
【図５】本発明の実施形態における加湿部５３の機能構成例を示す図である。
【図６】本発明の実施形態における薄紙のときの第１加湿ローラー５３１ａと第２加湿ローラー５３１ｂとの間に形成されるニップ量の一例を示す図である。
【図７】本発明の実施形態における薄紙以外のときの第１加湿ローラー５３１ａと第２加湿ローラー５３１ｂとの間に形成されるニップ量の一例を示す図である。
【図８】本発明の実施形態における各種ローラーの離間時の位置関係のうち、第１給水ローラー５３２ａと第１汲上ローラー５３３ａとの位置関係及び第２給水ローラー５３２ｂと第２汲上ローラー５３３ｂとの位置関係のそれぞれの一例を示す図である。
【図９】本発明の実施形態における各種ローラーの離間時の位置関係のうち、第１給水ローラー５３２ａと第１加湿ローラー５３１ａとの位置関係及び第２給水ローラー５３２ｂと第２加湿ローラー５３１ｂとの位置関係のそれぞれの一例を示す図である。
【図１０】本発明の実施形態における各種ローラーの圧接時の位置関係のうち、第１給水ローラー５３２ａと第１汲上ローラー５３３ａとの位置関係及び第２給水ローラー５３２ｂと第２汲上ローラー５３３ｂとの位置関係のそれぞれの一例を示す図である。
【図１１】本発明の実施形態における各種ローラーの圧接時の位置関係のうち、第１給水ローラー５３２ａと第１加湿ローラー５３１ａとの位置関係及び第２給水ローラー５３２ｂと第２加湿ローラー５３１ｂとの位置関係のそれぞれの一例を示す図である。
【図１２】本発明の実施形態における制御例を説明するフローチャートである。
【図１３】従来の各種ローラーの離間時の位置関係の一例を示す図である。
【図１４】従来の各種ローラーの圧接時の位置関係の一例を示す図である。
【図１５】従来の第１加湿ローラー５３１ａと第２加湿ローラー５３１ｂとの間に形成されるニップ量の一例を示す図である。
【発明を実施するための形態】
【００２３】
以下、図面に基づいて本発明の実施形態を説明するが、本発明は以下の実施形態に限られるものではない。
【００２４】
図１は、本発明の実施形態における画像形成システム１の全体構成の一例を示す図である。図１に示すように、画像形成システム１は、画像形成装置３、第１用紙処理装置５、及び第２用紙処理装置７を備える。画像形成装置３は、用紙Ｐに画像を形成するものである。第１用紙処理装置５は、画像形成装置３により画像が形成された用紙Ｐを加湿する加湿処理を行う用紙加湿装置である。第２用紙処理装置７は、画像形成装置３により画像が形成された用紙Ｐに、穿孔処理、綴じ処理、又は折り処理等を行う装置である。
【００２５】
図２は、本発明の実施形態における画像形成装置３の構成例を示す図である。図２に示すように、画像形成装置３は、カラー複写機の一例であり、原稿Ｔに形成された色画像を読み取ることにより画像情報を取得し、取得した画像情報に基づいて色を重ね合わせ、色画像を形成する装置である。画像形成装置３は、カラー複写機の外に、カラー用のプリンタ又はファクシミリ装置、これらの複合機等に適用して好適なものである。
【００２６】
画像形成装置３は、画像形成装置本体１１を備えている。画像形成装置本体１１の上部には、カラー用の画像読取部１２及び自動原稿送り装置１４が配設されている。画像形成装置本体１１は、詳細については後述するが、制御部４１、画像処理部４３、画像形成部６０、給紙部２０、及び搬送部３０を含むものである。
【００２７】
自動原稿送り装置１４により送られた原稿Ｔは、画像読取部１２により読み取られる。画像読取部１２の読取結果である画像読取信号Ｓｏｕｔは、制御部４１を介して画像処理部４３に転送される。画像処理部４３は、アナログ処理、Ａ／Ｄ変換、シェーディング補正、画像圧縮処理、及び変倍処理等を実行する。この結果、画像読取信号Ｓｏｕｔは、Ｒ色成分、Ｇ色成分、及びＢ色成分を含むデジタルの画像データになる。
【００２８】
具体的には、画像処理部４３は、３次元色情報変換テーブルにより、その画像データ、すなわち、ＲＧＢコードを、Ｙ（イエロー）、Ｍ（マゼンタ）、Ｃ（シアン）、及びＫ（ブラック）色の画像データ、すなわち、Ｄｙ，Ｄｍ，Ｄｃ，Ｄｋに変換する。画像処理部４３は、変換後の画像データを、画像形成部６０に含まれるＬＥＤ書き込みユニット６１１Ｙ，６１１Ｍ，６１１Ｃ，６１１Ｋに転送する。
【００２９】
画像形成部６０は、電子写真プロセス技術を利用したものであり、中間転写方式のカラー画像を形成する。画像形成部６０は、縦型タンデム方式が採用されている。
【００３０】
画像形成部６０は、画像処理部４３から転送された画像データ、すなわち、Ｄｙ，Ｄｍ，Ｄｃ，Ｄｋに基づいて、色画像を形成する。画像形成部６０は、色ごとの画像形成ユニット６０１Ｙ，６０１Ｍ，６０１Ｃ，６０１Ｋと、中間転写部６２０と、トナー像を定着させる定着部６３０とを備えている。
【００３１】
画像形成ユニット６０１Ｙは、Ｙ（イエロー）色の画像を形成する。画像形成ユニット６０１Ｙは、感光ドラム６１３Ｙ、帯電部６１４Ｙ、ＬＥＤ書き込みユニット６１１Ｙ、現像部６１２Ｙ、及びクリーニング部６１６Ｙを備えている。
【００３２】
感光ドラム６１３Ｙは、Ｙ色のトナー像を形成する。帯電部６１４Ｙは、感光ドラム６１３Ｙの周囲に配置され、コロナ放電により感光ドラム６１３Ｙの表面を一様に負極性に帯電させる。ＬＥＤ書き込みユニット６１１Ｙは、感光ドラム６１３Ｙに対してＹ色成分の画像に対応する光を照射する。現像部６１２Ｙは、感光ドラム６１３Ｙの表面にＹ色成分のトナーを付着させることにより、静電潜像を可視化してトナー像を形成する。クリーニング部６１６Ｙは、一次転写後に感光ドラム６１３Ｙの表面に残存する転写残トナーを除去する。
【００３３】
なお、画像形成ユニット６０１Ｍ，６０１Ｃ，６０１Ｋのそれぞれは、画像形成ユニット６０１Ｙと比べ、形成する画像の色が異なる以外は同様の構成及び機能であるため、その説明については省略する。
【００３４】
なお、画像形成ユニット６０１Ｙ，６０１Ｍ，６０１Ｃ，６０１Ｋを総称する場合、画像形成ユニット６０１と称する。また、ＬＥＤ書き込みユニット６１１Ｙ，６１１Ｍ，６１１Ｃ，６１１Ｋを総称する場合、ＬＥＤ書き込みユニット６１１と称する。また、現像部６１２Ｙ，６１２Ｍ，６１２Ｃ，６１２Ｋを総称する場合、現像部６１２と称する。また、感光ドラム６１３Ｙ，６１３Ｍ，６１３Ｃ，６１３Ｋを総称する場合、感光ドラム６１３と称する。また、帯電部６１４Ｙ，６１４Ｍ，６１４Ｃ，６１４Ｋを総称する場合、帯電部６１４と称する。また、クリーニング部６１６Ｙ，６１６Ｍ，６１６Ｃ，６１６Ｋを総称する場合、クリーニング部６１６と称する。
【００３５】
中間転写部６２０は、中間転写ベルト６２１、一次転写ローラー６２２Ｙ，６２２Ｍ，６２２Ｃ，６２２Ｋ、二次転写ローラー６２３、及びベルトクリーニング装置６２４等を備えている。
【００３６】
中間転写ベルト６２１は、無端状ベルトから構成され、複数の支持ローラーによりループ状に張架される。複数の支持ローラーのうち少なくとも１つのものは駆動ローラーで構成され、その他のものは従動ローラーで構成される。例えば、Ｋ成分用の一次転写ローラー６２２Ｋよりもベルト走行方向の下流側に配置される支持ローラーが駆動ローラーであることが好ましい。駆動ローラーが回転することにより、中間転写ベルト６２１は矢印Ｚ方向に一定速度で走行する。
【００３７】
一次転写ローラー６２２Ｙ，６２２Ｍ，６２２Ｃ，６２２Ｋは、各色成分の感光ドラム６１３に対向して、中間転写ベルト６２１の内周面側に配置される。中間転写ベルト６２１を挟んで、一次転写ローラー６２２Ｙ，６２２Ｍ，６２２Ｃ，６２２Ｋが感光ドラム６１３Ｙ，６１３Ｍ，６１３Ｃ，６１３Ｋに圧接される。これにより、感光ドラム６１３Ｙ，６１３Ｍ，６１３Ｃ，６１３Ｋから中間転写ベルト６２１へトナー像を転写するための一次転写ニップが形成される。
【００３８】
なお、一次転写ローラー６２２Ｙ，６２２Ｍ，６２２Ｃ，６２２Ｋを総称する場合、一次転写ローラー６２２と称する。
【００３９】
二次転写ローラー６２３は、複数の支持ローラーのうち１つのものに対向して、中間転写ベルト６２１の外周面側に配置される。中間転写ベルト６２１に対向して配置される支持ローラーは、バックアップローラーと呼ばれる。中間転写ベルト６２１を挟んで、二次転写ローラー６２３がバックアップローラーに圧接されることにより、中間転写ベルト６２１から用紙Ｐへトナー像を転写するための二次転写ニップが形成される。
【００４０】
中間転写ベルト６２１が一次転写ニップを通過する際、感光ドラム６１３上のトナー像は、中間転写ベルト６２１に順次重ねて一次転写される。具体的には、一次転写ローラー６２２に一次転写バイアスを印加し、中間転写ベルト６２１の裏面側、すなわち、一次転写ローラー６２２と当接する側にトナーと逆極性の電荷を付与することにより、トナー像は中間転写ベルト６２１に静電的に転写される。
【００４１】
用紙Ｐが二次転写ニップを通過する際、中間転写ベルト６２１上のトナー像は用紙Ｐに二次転写される。具体的には、二次転写ローラー６２３に二次転写バイアスを印加し、用紙Ｐの裏面側、すなわち、二次転写ローラー６２３と当接する側にトナーと逆極性の電荷を付与することにより、トナー像は用紙Ｐに静電的に転写される。トナー像が転写された用紙Ｐは定着部６３０に搬送される。
【００４２】
ベルトクリーニング装置６２４は、中間転写ベルト６２１の表面に摺接するベルトクリーニングブレード等を有する。ベルトクリーニング装置６２４は、二次転写後に中間転写ベルト６２１の表面に残留する転写残トナーを除去する。
【００４３】
なお、中間転写部６２０において、二次転写ローラー６２３に代えて、二次転写ローラー６２３を含む複数の支持ローラーに、不図示の二次転写ベルトがループ状に張架された構成、いわゆる、ベルト式の二次転写ユニットが採用されてもよい。
【００４４】
定着部６３０は、加熱ローラー６３１、加圧ローラー６３２、加熱部６３３、及び温度検知部８３を備え、画像形成部６０で転写されたトナー像を用紙Ｐに定着させる。
【００４５】
具体的には、加熱部６３３は、加熱ローラー６３１の内部に設けられ、加熱ローラー６３１を間欠的に加熱する。加圧ローラー６３２は、加熱ローラー６３１と対向して配置され、加熱ローラー６３１を加圧する。温度検知部８３は、加熱ローラー６３１の周囲に設けられ、加熱ローラー６３１の温度を検知する。
【００４６】
定着部６３０は、加熱ローラー６３１の温度を検知する温度検知部８３の検知結果に応じて、加熱部６３３が加熱ローラー６３１を加熱する。定着部６３０は、加熱ローラー６３１と、加圧ローラー６３２とを互いに圧接させることにより、加熱ローラー６３１と加圧ローラー６３２との間に定着ニップを形成させる。
【００４７】
定着部６３０は、加圧ローラー６３２による加圧と、加熱ローラー６３１が有する熱との作用を通じて、転写されたトナー像を用紙Ｐに定着させる。定着部６３０により定着された用紙Ｐは、画像が印刷される。画像が印刷された用紙Ｐは、排紙ローラー３０４により機外へと排出され、例えば、第１用紙処理装置５に搬送される。なお、画像が印刷された用紙Ｐは、第１用紙処理装置５に搬送されずに、排紙トレイ３０５に積載されてもよい。
【００４８】
給紙部２０は、給紙カセット２００及び送り出しローラー２０１等を備えている。給紙カセット２００は、用紙Ｐを収容する。送り出しローラー２０１は、給紙カセット２００に収容された用紙Ｐを取り込み、搬送部３０に送り出す。
【００４９】
搬送部３０は、搬送経路３００が構成され、搬送経路３００に従い用紙Ｐを搬送する。搬送経路３００は、給紙ローラー３０２Ａ、搬送ローラー３０２Ｂ，３０２Ｃ，３０２Ｄ、及びレジストローラー３０３等を備えている。
【００５０】
搬送経路３００は、給紙部２０から給紙された用紙Ｐを画像形成部６０に搬送する。なお、用紙Ｐの裏面にも画像形成が行われる場合、用紙Ｐの表面に対する画像形成が行われた後、用紙Ｐは、分岐部３０６により、循環通紙路３０７Ａ、反転搬送路３０７Ｂ、及び再給紙搬送路３０７Ｃの順に搬送される。
【００５１】
画像形成装置３は、制御部４１を介して各種処理が実行される。例えば、画像読取部１２から出力される画像読取信号Ｓｏｕｔは、制御部４１を介して不図示の画像メモリ又は画像処理部４３に送信される。画像メモリは、例えば、ハードディスク等からなる。
【００５２】
制御部４１は、具体的には、不図示のＣＰＵ、ＲＯＭ、ＲＡＭ、及びＩ／Ｏインターフェースを主体として構成される。制御部４１は、ＣＰＵがＲＯＭ又は不図示の記憶部から処理内容に応じた各種プログラムを読み出し、ＲＡＭに展開し、展開した各種プログラムと協働することにより、画像形成装置３の各部の動作を制御する。
【００５３】
図３は、本発明の実施形態における第１用紙処理装置５の構成例を示す図である。第１用紙処理装置５は、上記で説明したように、用紙加湿装置であって、制御部５１、搬送部５２、及び加湿部５３を備える。
【００５４】
制御部５１は、第１用紙処理装置５の動作を制御するものであり、不図示のＣＰＵ、ＲＯＭ、ＲＡＭ、及びＩ／Ｏインターフェースを主体に構成されたマイクロコンピュータにより実現し得るものである。制御部４１が所定の制御プログラムを実行することにより、図５を用いて後述する各種機能が実現される。
【００５５】
搬送部５２は、不図示のローラー、並びに、後述する第１搬送経路５２１及び第２搬送経路５２２等を備え、第１用紙処理装置５内において、上流側から下流側に用紙Ｐを搬送する。加湿部５３は、搬送部５２により搬送される用紙Ｐを加湿する。
【００５６】
図４は、本発明の実施形態における加湿部５３の概略構成例を示す図である。加湿部５３は、第１加湿ローラー５３１ａと、第２加湿ローラー５３１ｂとを備える。第１加湿ローラー５３１ａは、位置が移動自在であり、用紙Ｐに加湿を行う。第２加湿ローラー５３１ｂは、第１加湿ローラー５３１ａと対向して配置され、位置が移動自在であり、用紙Ｐ加湿を行う。第１加湿ローラー５３１ａは、第２加湿ローラー５３１ｂの上方に配置されている。よって、第１加湿ローラー５３１ａの重量による圧力が第２加湿ローラー５３１ｂに与えられている。
【００５７】
なお、第１加湿ローラー５３１ａ及び第２加湿ローラー５３１ｂを総称する場合、加湿ローラー５３１と称する。
【００５８】
加湿部５３は、第１給水ローラー５３２ａと、第２給水ローラー５３２ｂとを備える。第１給水ローラー５３２ａは、第１加湿ローラー５３１ａの上方に対向して配置され、第１加湿ローラー５３１ａに給水し、位置が移動自在である。第２給水ローラー５３２ｂは、第２加湿ローラー５３１ｂの下方に対向して配置され、第２加湿ローラー５３１ｂに給水し、位置が移動自在である。
【００５９】
なお、第１給水ローラー５３２ａ及び第２給水ローラー５３２ｂを総称する場合、給水ローラー５３２と称する。
【００６０】
加湿部５３は、第１貯留部５３５ａと、第１汲上ローラー５３３ａと、第２貯留部５３５ｂと、第２汲上ローラー５３３ｂとを備える。第１貯留部５３５ａは、第１の水が貯留される。第１汲上ローラー５３３ａは、第１給水ローラー５３２ａと対向して配置され、第１貯留部５３５ａから第１給水ローラー５３２ａに第１の水を供給する。第２貯留部５３５ｂは、第２の水が貯留される。第２汲上ローラー５３３ｂは、第２給水ローラー５３２ｂと対向して配置され、第２貯留部５３５ｂから第２給水ローラー５３２ｂに第２の水を供給する。
【００６１】
なお、第１貯留部５３５ａ及び第２貯留部５３５ｂを総称する場合、貯留部５３５と称する。また、第１汲上ローラー５３３ａ及び第２汲上ローラー５３３ｂを総称する場合、汲上ローラー５３３と称する。
【００６２】
加湿部５３は、搬送部５２のうち、第１搬送経路５２１から第２搬送経路５２２に搬送される用紙Ｐを加湿する。加湿ローラー５３１は、第１搬送経路５２１と、第２搬送経路５２２との間に設けられている。用紙Ｐは、第１搬送経路５２１から第２搬送経路５２２に搬送される際、第１加湿ローラー５３１ａと、第２加湿ローラー５３１ｂとが圧接されて形成されるニップを介して加湿される。
【００６３】
具体的には、第１貯留部５３５ａに貯留される第１の水は、第１汲上ローラー５３３ａ、第１給水ローラー５３２ａ、及び第１加湿ローラー５３１ａを介して用紙Ｐの第１面に供給される。第２貯留部５３５ｂに貯留される第２の水は、第２汲上ローラー５３３ｂ、第２給水ローラー５３２ｂ、及び第２加湿ローラー５３１ｂを介して用紙Ｐの第２面に供給される。
【００６４】
図５は、本発明の実施形態における加湿部５３の機能構成例を示す図である。位置制御部５１１及び搬送制御部５１２は、制御部５１により実現される機能である。位置制御部５１１は、用紙Ｐの種類に薄紙が設定されている場合、第１加湿ローラー５３１ａと、第２加湿ローラー５３１ｂとの間を、離間させてから圧接させる際、用紙Ｐに与える圧力を弱めさせる。搬送制御部５１２は、用紙Ｐの搬送を制御する。
【００６５】
図６は、本発明の実施形態における薄紙のときの第１加湿ローラー５３１ａと第２加湿ローラー５３１ｂとの間に形成されるニップ量の一例を示す図である。図７は、本発明の実施形態における薄紙以外のときの第１加湿ローラー５３１ａと第２加湿ローラー５３１ｂとの間に形成されるニップ量の一例を示す図である。
【００６６】
位置制御部５１１は、用紙Ｐに与える圧力を弱めさせる際、第１加湿ローラー５３１ａと、第２加湿ローラー５３１ｂとの間が圧接状態になることにより形成されるニップのニップ量を第１ニップ量から第２ニップ量に狭くさせる。
【００６７】
第１ニップ量は、用紙Ｐの種類に薄紙が設定されている場合に適用されるものである。第１ニップ量は、第１加湿ローラー５３１ａの軸と、第２加湿ローラー５３１ｂの軸との間の間隔が第１距離Ｌ１に設定される。第１ニップ量は、第１距離Ｌ１のとき、例えば、０．１ｍ以下となる。
【００６８】
第２ニップ量は、用紙Ｐの種類に薄紙が設定されていない場合に適用されるものである。第２ニップ量は、第１加湿ローラー５３１ａの軸と、第２加湿ローラー５３１ｂの軸との間の間隔が第２距離Ｌ２に設定される。第２ニップ量は、第２距離Ｌ２のとき、例えば、５ｍｍ以上となる。
【００６９】
第１距離Ｌ１は、第２距離Ｌ２よりも長い。つまり、ニップ量と、第１加湿ローラー５３１ａの軸と第２加湿ローラー５３１ｂの軸との間の間隔とは、一定の相関関係が成立するため、第１加湿ローラー５３１ａの軸と第２加湿ローラー５３１ｂの軸との間の間隔を調整することにより、ニップ量を調整することができる。
【００７０】
第１加湿ローラー５３１ａ及び第２加湿ローラー５３１ｂのそれぞれは弾性体から構成される。換言すれば、第１加湿ローラー５３１ａの軸と第２加湿ローラー５３１ｂの軸との間の間隔の調整量に応じて、第１加湿ローラー５３１ａと第２加湿ローラー５３１ｂとによる圧力は変化する。このような圧力の変化に応じて、第１加湿ローラー５３１ａ及び第２加湿ローラー５３１ｂのそれぞれの形状は変化する。よって、ニップ量は、第１加湿ローラー５３１ａの軸と第２加湿ローラー５３１ｂの軸との間の間隔の調整量に応じて、変更自在となる。
【００７１】
なお、第１距離Ｌ１及び第２距離Ｌ２のように、第１加湿ローラー５３１ａの軸と、第２加湿ローラー５３１ｂの軸との間の間隔の調整は、不図示の偏心カムにより行われればよい。不図示の偏心カムは、制御部５１からの指令に応じて、加湿ローラー５３１に設けられ、第１加湿ローラー５３１ａの軸と、第２加湿ローラー５３１ｂの軸との間の間隔の調整を行うことができる。
【００７２】
図８は、本発明の実施形態における各種ローラーの離間時の位置関係のうち、第１給水ローラー５３２ａと第１汲上ローラー５３３ａとの位置関係及び第２給水ローラー５３２ｂと第２汲上ローラー５３３ｂとの位置関係のそれぞれの一例を示す図である。
【００７３】
なお、位置制御部５１１による制御が実行されない状態では、デフォルト設定として、加湿ローラー５３１、給水ローラー５３２、及び汲上ローラー５３３のそれぞれには、押圧ばね力が付与され、デフォルト位置が保持されている。デフォルト位置は、加湿ローラー５３１、給水ローラー５３２、及び汲上ローラー５３３の何れもが圧接状態であり、加湿ローラー５３１、給水ローラー５３２、及び汲上ローラー５３３のそれぞれが互いに圧接状態である。
【００７４】
位置制御部５１１は、用紙Ｐの種類に薄紙が設定されている場合、図８に示すように、第１汲上ローラー５３３ａと、第１給水ローラー５３２ａとの間と、第２汲上ローラー５３３ｂと、第２給水ローラー５３２ｂとの間と、のそれぞれを離間させる。図８においては、位置制御部５１１は、給水ローラー５３２から離れる方向に汲上ローラー５３３の位置を移動させる。
【００７５】
図９は、本発明の実施形態における各種ローラーの離間時の位置関係のうち、第１給水ローラー５３２ａと第１加湿ローラー５３１ａとの位置関係及び第２給水ローラー５３２ｂと第２加湿ローラー５３１ｂとの位置関係のそれぞれの一例を示す図である。位置制御部５１１は、用紙Ｐの種類に薄紙が設定されている場合、図９に示すように、第１加湿ローラー５３１ａと、第１給水ローラー５３２ａとの間と、第２加湿ローラー５３１ｂと、第２給水ローラー５３２ｂとの間と、のそれぞれを離間させる。図９においては、位置制御部５１１は、加湿ローラー５３１から離れる方向に給水ローラー５３２の位置を移動させる。
【００７６】
また、位置制御部５１１は、用紙Ｐの種類に薄紙が設定されている場合、上記で説明したように、第１加湿ローラー５３１ａと、第２加湿ローラー５３１ｂとの間を、離間させてから圧接させるため、第１の制御として、第１加湿ローラー５３１ａと、第２加湿ローラー５３１ｂとの間の離間制御を行い、第２の制御として、第１加湿ローラー５３１ａと、第２加湿ローラー５３１ｂとの間の圧接制御を行う。
【００７７】
位置制御部５１１による第１の制御の際、すなわち、第１加湿ローラー５３１ａと、第２加湿ローラー５３１ｂとの間が離間されている場合、搬送制御部５１２は、用紙Ｐの先端を通過させる。
【００７８】
図１０は、本発明の実施形態における各種ローラーの圧接時の位置関係のうち、第１給水ローラー５３２ａと第１汲上ローラー５３３ａとの位置関係及び第２給水ローラー５３２ｂと第２汲上ローラー５３３ｂとの位置関係のそれぞれの一例を示す図である。
【００７９】
位置制御部５１１は、搬送制御部５１２により用紙Ｐの先端が第１加湿ローラー５３１ａと、第２加湿ローラー５３１ｂとの間を通過した場合、第２の制御として、第１加湿ローラー５３１ａと、第２加湿ローラー５３１ｂとの間を圧接させる。
【００８０】
位置制御部５１１は、第１加湿ローラー５３１ａと、第２加湿ローラー５３１ｂとの間を圧接させたことを契機として、図１０に示すように、第１汲上ローラー５３３ａと、第１給水ローラー５３２ａとの間と、第２汲上ローラー５３３ｂと、第２給水ローラー５３２ｂとの間と、のそれぞれを圧接させる。図１０においては、位置制御部５１１は、給水ローラー５３２に近づく方向に汲上ローラー５３３の位置を移動させる。
【００８１】
図１１は、本発明の実施形態における各種ローラーの圧接時の位置関係のうち、第１給水ローラー５３２ａと第１加湿ローラー５３１ａとの位置関係及び第２給水ローラー５３２ｂと第２加湿ローラー５３１ｂとの位置関係のそれぞれの一例を示す図である。
【００８２】
位置制御部５１１は、第１加湿ローラー５３１ａと、第２加湿ローラー５３１ｂとの間を圧接させたことを契機として、第１汲上ローラー５３３ａと、第１給水ローラー５３２ａとの間と、第２汲上ローラー５３３ｂと、第２給水ローラー５３２ｂとの間と、のそれぞれを圧接させた場合、図１１に示すように、第１加湿ローラー５３１ａと、第１給水ローラー５３２ａとの間と、第２加湿ローラー５３１ｂと、第２給水ローラー５３２ｂとの間と、のそれぞれを圧接させる。図１１においては、位置制御部５１１は、加湿ローラー５３１に近づく方向に給水ローラー５３２の位置を移動させる。
【００８３】
図１２は、本発明の実施形態における制御例を説明するフローチャートである。図１２の制御例は、加湿処理であり、デフォルト設定として、加湿ローラー５３１、給水ローラー５３２、及び汲上ローラー５３３は何れも圧接状態である。また、加湿ローラー５３１、給水ローラー５３２、及び汲上ローラー５３３のそれぞれも互いに圧接状態である。
【００８４】
なお、用紙Ｐの種類の設定値は、画像形成装置３に入力されている。よって、第１用紙処理装置５は、画像形成装置３から用紙Ｐの種類の設定値を取得すればよい。
【００８５】
ステップＳ１１において、用紙Ｐの種類に薄紙が設定されているか否かが判定される。用紙Ｐの種類に薄紙が設定されていると判定される場合、ステップＳ１２に進む。一方、用紙Ｐの種類に薄紙が設定されていると判定されない場合、ステップＳ１７に進む。
【００８６】
ステップＳ１２において、第１加湿ローラー５３１ａと第２加湿ローラー５３１ｂとが離間される。ステップＳ１３において、第１給水ローラー５３２ａと第２給水ローラー５３２ｂとが離間される。
【００８７】
ステップＳ１４において、用紙Ｐの先端が第１加湿ローラー５３１ａと第２加湿ローラー５３１ｂとの間を通過したか否かが判定される。用紙Ｐの先端が第１加湿ローラー５３１ａと第２加湿ローラー５３１ｂとの間を通過したと判定される場合、ステップＳ１５に進む。一方、用紙Ｐの先端が第１加湿ローラー５３１ａと第２加湿ローラー５３１ｂとの間を通過したと判定されない場合、そのまま待機する。
【００８８】
ステップＳ１５において、第１加湿ローラー５３１ａと第２加湿ローラー５３１ｂとが圧接される際、ニップ量が狭くされる。ステップＳ１６において、第１給水ローラー５３２ａと第２給水ローラー５３２ｂとが圧接され、加湿処理は終了する。
【００８９】
ステップＳ１７において、第１給水ローラー５３２ａと第２給水ローラー５３２ｂとが離間される。ステップＳ１８において、用紙Ｐの先端が第１加湿ローラー５３１ａと第２加湿ローラー５３１ｂとの間を通過したか否かが判定される。用紙Ｐの先端が第１加湿ローラー５３１ａと第２加湿ローラー５３１ｂとの間を通過したと判定される場合、ステップＳ１９に進む。一方、用紙Ｐの先端が第１加湿ローラー５３１ａと第２加湿ローラー５３１ｂとの間を通過したと判定されない場合、そのまま待機する。
【００９０】
なお、ステップＳ１８の処理が開始されるとき、加湿ローラー５３１は、デフォルト設定が維持されているため、第１加湿ローラー５３１ａと、第２加湿ローラー５３１ｂとの間は圧接状態となっている。
【００９１】
ステップＳ１９において、第１加湿ローラー５３１ａと第２加湿ローラー５３１ｂとが圧接され、加湿処理は終了する。
【００９２】
図１３は、従来の各種ローラーの離間時の位置関係の一例を示す図である。図１４は、従来の各種ローラーの圧接時の位置関係の一例を示す図である。図１５は、従来の第１加湿ローラー５３１ａと第２加湿ローラー５３１ｂとの間に形成されるニップ量の一例を示す図である。なお、図１３，１４において、用紙Ｐ＿１の後に用紙Ｐ＿２が搬送される。
【００９３】
図１３に示すように、加湿ローラー５３１の離間動作と共に、給水ローラー５３２の離間動作が行われる。また、図１４に示すように、加湿ローラー５３１の圧接動作と共に、給水ローラー５３２の圧接動作が行われる。よって、第１加湿ローラー５３１ａの自重落下による圧力と、第１給水ローラー５３２ａの自重落下による圧力と、第１給水ローラー５３２ａに付与される下方への押圧ばね力と、第１加湿ローラー５３１ａの搬送力とが、用紙Ｐに付与される。
【００９４】
この結果、第１加湿ローラー５３１ａと、第２加湿ローラー５３１ｂとの間に形成されるニップに付与される圧力は大きくなる。よって、図１５に示すように、加湿ローラー５３１に形成されるニップは大きくなるため、ニップ量が増加する。したがって、用紙Ｐに供給される水分量が増加するため、用紙Ｐにしわが発生しやすくなる。
【００９５】
一方、本実施形態においては、第１加湿ローラー５３１ａと、第２加湿ローラー５３１ｂとの間が、離間されてから圧接される際、用紙Ｐに与えられる圧力が弱められる。よって、用紙Ｐが圧接されるときの加湿ローラー５３１の衝撃が緩和される。したがって、用紙Ｐの種類が薄紙であっても、加湿時の用紙Ｐのしわの発生を防ぐことができる。
【００９６】
また、本実施形態においては、用紙Ｐに与える圧力を弱めさせる際、ニップ量を狭くさせることにより、用紙Ｐに付与される水分量を減らすことができる。よって、用紙Ｐの種類が薄紙であっても、加湿時の用紙Ｐのしわの発生を防ぐことができる。
【００９７】
また、本実施形態においては、第１加湿ローラー５３１ａと、第２加湿ローラー５３１ｂとの間に用紙Ｐの先端を通過させてから、第１加湿ローラー５３１ａと、第２加湿ローラー５３１ｂとが圧接されることにより、用紙Ｐの先端が第１加湿ローラー５３１ａ又は第２加湿ローラー５３１ｂに張り付くことを回避できる。よって、用紙Ｐの種類が薄紙であっても、用紙Ｐの先端が第１加湿ローラー５３１ａ又は第２加湿ローラー５３１ｂに巻き付くことを防止することができる。
【００９８】
また、本実施形態においては、用紙Ｐの種類に薄紙が設定されている場合、第１加湿ローラー５３１ａと、第１給水ローラー５３２ａとの間と、第２加湿ローラー５３１ｂと、第２給水ローラー５３２ｂとの間と、のそれぞれが離間される。よって、第１給水ローラー５３２ａと第１加湿ローラー５３１ａとが一体的に連携して駆動するものでなくなると共に、第２給水ローラー５３２ｂと第２加湿ローラー５３１ｂとが一体的に連携して駆動するものでなくなる。したがって、加湿ローラー５３１には主に押圧ばね力が付与される状態となるため、第１加湿ローラー５３１ａと、第２加湿ローラー５３１ｂとの間に形成されるニップ量の調整を容易にすることができる。
【００９９】
また、本実施形態においては、用紙Ｐの種類に薄紙が設定されている場合、第１汲上ローラー５３３ａと、第１給水ローラー５３２ａとの間と、第２汲上ローラー５３３ｂと、第２給水ローラー５３２ｂとの間と、のそれぞれが離間される。よって、給水経路が絶たれるため、第１給水ローラー５３２ａ及び第２給水ローラー５３２ｂによる水の供給を停止させることができる。
【０１００】
また、本実施形態においては、第１加湿ローラー５３１ａと、第２加湿ローラー５３１ｂとの間が圧接されたことを契機として、第１汲上ローラー５３３ａと、第１給水ローラー５３２ａとの間と、第２汲上ローラー５３３ｂと、第２給水ローラー５３２ｂとの間と、のそれぞれが圧接された場合、第１加湿ローラー５３１ａと、第１給水ローラー５３２ａとの間と、第２加湿ローラー５３１ｂと、第２給水ローラー５３２ｂとの間と、のそれぞれが圧接される。よって、用紙Ｐが受ける衝撃は段階的なものとなるため、用紙Ｐが一度に受ける衝撃を緩和させることができる。
【０１０１】
また、本実施形態においては、画像形成システム１は、用紙加湿装置である第１用紙処理装置５を含むため、上記と同様に、加湿時の用紙Ｐのしわの発生を防ぐことができる。
【０１０２】
以上、本発明に係る画像形成装置３及び第１用紙処理装置５を実施形態に基づいて説明したが、本発明はこれに限定されるものではなく、本発明の趣旨を逸脱しない範囲で、変更を加えてもよい。
【０１０３】
例えば、本実施形態においては、、第１加湿ローラー５３１ａの軸と、第２加湿ローラー５３１ｂの軸との間の間隔の調整は、不図示の偏心カムを用いて一例について説明したが、特にこれに限定されるものではなく、第１加湿ローラー５３１ａの軸と、第２加湿ローラー５３１ｂの軸との間の間隔が調整できる構成であればよい。
【符号の説明】
【０１０４】
１          画像形成システム
３          画像形成装置
５          第１用紙処理装置
７          第２用紙処理装置
１１        画像形成装置本体
１２        画像読取部
１４        自動原稿送り装置
２０        給紙部
２００      給紙カセット
２０１      送り出しローラー
３０        搬送部
３００      搬送経路
３０２Ａ    給紙ローラー
３０２Ｂ，３０２Ｃ，３０２Ｄ  搬送ローラー
３０３      レジストローラー
３０４      排紙ローラー
３０５      排紙トレイ
３０６      分岐部
３０７Ａ    循環通紙路
３０７Ｂ    反転搬送路
３０７Ｃ    再給紙搬送路
４１        制御部
４３        画像処理部
５１        制御部
５１１      位置制御部
５１２      搬送制御部
５２        搬送部
５２１      第１搬送経路
５２２      第２搬送経路
５３        加湿部
５３１      加湿ローラー
５３１ａ    第１加湿ローラー
５３１ｂ    第２加湿ローラー
５３２      給水ローラー
５３２ａ    第１給水ローラー
５３２ｂ    第２給水ローラー
５３３      汲上ローラー
５３３ａ    第１汲上ローラー
５３３ｂ    第２汲上ローラー
５３５      貯留部
５３５ａ    第１貯留部
５３５ｂ    第２貯留部
６０        画像形成部
６０１，６０１Ｙ，６０１Ｍ，６０１Ｃ，６０１Ｋ  画像形成ユニット
６１１，６１１Ｙ，６１１Ｍ，６１１Ｃ，６１１Ｋ  ＬＥＤ書き込みユニット
６１２，６１２Ｙ，６１２Ｍ，６１２Ｃ，６１２Ｋ  現像部
６１３，６１３Ｙ，６１３Ｍ，６１３Ｃ，６１３Ｋ  感光ドラム
６１４，６１４Ｙ，６１４Ｍ，６１４Ｃ，６１４Ｋ  帯電部
６１６，６１６Ｙ，６１６Ｍ，６１６Ｃ，６１６Ｋ  クリーニング部
６２０      中間転写部
６２１      中間転写ベルト
６２２，６２２Ｙ，６２２Ｍ，６２２Ｃ，６２２Ｋ  一次転写ローラー
６２３      二次転写ローラー
６２４      ベルトクリーニング装置
６３０      定着部
６３１      加熱ローラー
６３２      加圧ローラー
６３３      加熱部
８３        温度検知部
Ｔ          原稿
Ｐ、Ｐ＿１、Ｐ＿２  用紙
【図１】
0006701818.tif 000002
【図２】
0006701818.tif 000003
【図３】
0006701818.tif 000004
【図４】
0006701818.tif 000005
【図５】
0006701818.tif 000006
【図６】
0006701818.tif 000007
【図７】
0006701818.tif 000008
【図８】
0006701818.tif 000009
【図９】
0006701818.tif 000010
【図１０】
0006701818.tif 000011
【図１１】
0006701818.tif 000012
【図１２】
0006701818.tif 000013
【図１３】
0006701818.tif 000014
【図１４】
0006701818.tif 000015
【図１５】
0006701818.tif 000016